(57)【要約】【課題】  手指だけでは千切れない縦ひだ絞り成形プラスチック容器の胴部開口縁に部分突設した把持片の基部から容器胴部を下向きに手指だけで千切り広げ易くすること。【解決手段】  熱可塑性プラスチックシートから容器底部２の周囲に多数の縦ひだ３を有する容器胴部４を一体的に起立成形した縦ひだ絞り成形プラスチック容器５を作るに当たり、前記容器胴部４の開口縁４ａに部分的に突出する把持片６を一体突設し、その基部における容器胴部に切断補助用の薄肉溝７または小寸の切り目８を下向きに削設した。  ただし、前記把持片６の基部における容器胴部４に小寸の切り目８と、この切り目に連接した切断補助用の薄肉溝７とをそれぞれ下向きに削設してもよい。【選択図】図１
2006036283.tif 000002
【特許請求の範囲】
【請求項１】
熱可塑性プラスチックシートから容器底部の周囲に多数の縦ひだを有する容器胴部を一体的に起立成形したプラスチック製容器において、容器胴部にその開口縁から部分的に突出する把持片を一体的に突設すると共に、その基部における容器胴部に切断補助用の薄肉溝を下向きに削設してなる縦ひだ絞り成形プラスチック容器。
【請求項２】
熱可塑性プラスチックシートから容器底部の周囲に多数の縦ひだを有する容器胴部を一体的に起立成形したプラスチック製容器において、容器胴部にその開口縁から部分的に突出する複数の把持片を一体突設し、その基部のうちの少なくとも一つの基部における容器胴部に切断補助用の薄肉溝を下向きに削設してなる縦ひだ絞り成形プラスチック容器。
【請求項３】
熱可塑性プラスチックシートから容器底部の周囲に多数の縦ひだを有する容器胴部を一体的に起立成形したプラスチック製容器において、容器胴部にその開口縁から部分的に突出する把持片を一体突設すると共に、その基部の両側における容器胴部に切断補助用の薄肉溝を下向きに削設してなる縦ひだ絞り成形プラスチック容器。
【請求項４】
熱可塑性プラスチックシートから容器底部の周囲に多数の縦ひだを有する容器胴部を一体的に起立成形したプラスチック製容器において、容器胴部にその開口縁から部分的に突出する把持片を一体的に突設すると共に、その基部における容器胴部に切断補助用の切り目を下向きに形成してなる縦ひだ絞り成形プラスチック容器。
【請求項５】
熱可塑性プラスチックシートから容器底部の周囲に多数の縦ひだを有する容器胴部を一体的に起立成形したプラスチック製容器において、容器胴部にその開口縁から部分的に突出する複数の把持片を一体突設し、その基部のうちの少なくとも一つの基部における容器胴部に切断補助用の切り目を下向きに形成してなる縦ひだ絞り成形プラスチック容器。
【請求項６】
熱可塑性プラスチックシートから容器底部の周囲に多数の縦ひだを有する容器胴部を一体的に起立成形したプラスチック製容器において、容器胴部にその開口縁から部分的に突出する把持片を一体突設すると共に、その基部の両側における容器胴部に切断補助用の切り目を下向きに形成してなる縦ひだ絞り成形プラスチック容器。
【請求項７】
熱可塑性プラスチックシートから容器底部の周囲に多数の縦ひだを有する容器胴部を一体的に起立成形したプラスチック製容器において、容器胴部にその開口縁から部分的に突出する把持片を一体突設すると共に、その基部における容器胴部に小寸の切り目と、この切り目に連接した切断補助用の薄肉溝とをそれぞれ下向きに形成してなる縦ひだ絞り成形プラスチック容器。
【請求項８】
熱可塑性プラスチックシートから容器底部の周囲に多数の縦ひだを有する容器胴部を一体的に起立成形したプラスチック製容器において、容器胴部にその開口縁から部分的に突出する複数の把持片を一体突設すると共に、その基部のうちの少なくとも一つの基部における容器胴部に小寸の切り目と、この切り目に連接した切断補助用の薄肉溝とをそれぞれ下向きに形成してなる縦ひだ絞り成形プラスチック容器。
【請求項９】
熱可塑性プラスチックシートから容器底部の周囲に多数の縦ひだを有する容器胴部を一体的に起立成形したプラスチック製容器において、容器胴部にその開口縁から部分的に突出する把持片を一体突設すると共に、その基部の両側における容器胴部に小寸の切り目と、この切り目に連接した切断補助用の薄肉溝とをそれぞれ下向きに形成してなる縦ひだ絞り成形プラスチック容器。
【請求項１０】
前記プラスチックシートにポリ・エチレン・テレフタレート製のシートを用いてなる請求項１から請求項９までのいずれか一つに記載の縦ひだ絞り成形プラスチック容器。
【請求項１１】
前記把持片を容器開口縁に対をなして水平突設してなる請求項１から請求項１０までのいずれか一つの請求項に記載の縦ひだ絞り成形プラスチック容器。
【請求項１２】
前記切断補助用の薄肉溝を容器胴部の周面に沿って斜め下向きに長く形成してなる請求項１から請求項１１までのいずれか一つに記載の縦ひだ絞り成形プラスチック容器。
【請求項１３】
前記切断補助用の薄肉溝をＶカットヒンジ溝状の薄肉溝とした請求項１から請求項１２までのいずれか一つの請求項に記載の縦ひだ絞り成形プラスチック容器。
【請求項１４】
前記切断補助用の薄肉溝を容器底部付近まで長く形成してなる請求項１から請求項１３までのいずれか一つの請求項に記載の縦ひだ絞り成形プラスチック容器。
【請求項１５】
前記縦ひだ絞り成形プラスチック容器を上広がりに成形してなる請求項１から請求項１４までのいずれか一つの請求項に記載の縦ひだ絞り成形プラスチック容器。
【発明の詳細な説明】
【技術分野】
【０００１】
この発明は、パンやケーキ、菓子等の食品生地を入れて「天火焼き」、「蒸し」などに用いる加熱加工食品を収納するに好適なプラスチック容器に係り、特に容器胴部を把持片の基部から千切り易くした縦ひだ絞り成形プラスチック容器に関する。
【背景技術】
【０００２】
加熱加工食品を収納するための縦ひだ付き紙製容器としては、例えば本出願人が先に提案した下記の非特許文献１に記載のように、容器底部の周囲に多数の縦ひだを有する容器胴部を一体的に起立成形した縦ひだ付き紙製容器における容器開口縁に対をなす把持片を一体突設した縦ひだ付き紙製容器とか、下記の特許文献１のような容器開口縁に把持片を全く有しない単なる縦ひだ絞り成形プラスチック容器も周知である。
【非特許文献１】実用新案登録第３０７８５５２号公報
【特許文献１】特開平６−３２８５５２号公報
【発明の開示】
【発明が解決しようとする課題】
【０００３】
上記非特許文献１の従来例は、紙を絞りプレス成形した縦ひだ付き紙製容器の胴部開口縁に部分的に突出する対をなす把持片を一体突設してあるので、各把持片を両手で掴み持つことで、熱いものを入れた縦ひだ付き紙製容器でも他所へ安全に持ち運べると共に、多数の上広がり縦ひだ付き紙製容器の重積体から容器の単品分離を上記把持片により容易に実行できるという利点が有る反面、前記把持片の基部に切断補助用の薄肉溝や切り目が無いから、容器胴部を把持片の基部から手指で下向きに極めて千切り辛く、容器開口縁まで満遍なく密着していて、容器開口縁脇に膨出している天火焼きケーキなどの容器内加工済食品から容器胴部を千切り広げ剥がして素早く食することが著しく困難であった。
【０００４】
このため、特に子供や高齢者の場合、すぐに食せないのでイライラして癇癪を起こしたり、容器胴部を引き剥がす際に手指が上記食品に強く触れ易く、手指や容器内食品を汚したりして極めて不衛生であったという本質的かつ大きな問題点が有り、この問題点はプラスチックラミネート紙やプラスチックフイルム貼着紙などの防水紙や剛性強化紙で作った縦ひだ絞り成形紙製容器では手指では千切れないという重大な問題点となり、特に前記特許文献１のような容器開口縁に把持片を全く有しないプラスチック容器では、食品が上まで密着している容器胴部を手指だけで千切り広げることが全く不可能であった。
【０００５】
本発明は、手指だけでは千切れない縦ひだ絞り成形プラスチック容器の胴部開口縁に突設した把持片の基部から容器胴部を手指だけで千切り広げ易くすることを目的とする。
【課題を解決するための手段】
【０００６】
上記した本発明の目的は、熱可塑性プラスチックシートから容器底部の周囲に多数の縦ひだを有する容器胴部を一体的に起立成形したプラスチック製容器を作るに当たり、容器胴部にその開口縁から部分的に突出する把持片を一体的に突設すると共に、その基部における容器胴部に切断補助用の薄肉溝や切り目を下向きに削設しことで達成できた。
なお、前記把持片の基部における容器胴部に小寸の切り目と、この切り目に連接した切断補助用の薄肉溝とをそれぞれ下向きに削設してもよい。
【発明の効果】
【０００７】
本発明は、以上のような手段を採用したので、以下に記載の効果を奏する。
本発明における請求項１から請求項６までの各発明によれば、縦ひだ絞り成形プラスチック容器の胴部開口縁から部分突出した把持片の基部における容器胴部に切断補助用の薄肉溝または小寸の切り目（所謂ノッチ）を下向きに形成したので、所謂ＰＥＴと称するポリ・エチレン・テレフタレートやポリ・プロピレン（ＰＰ）などの剛性と破断強度とが大きいプラスチックシートで作った縦ひだ絞り成形プラスチック容器でも、その胴部外周面を片手で持ち、他方の手指で把持片をその基部の切断補助用の薄肉溝または小寸の切り目から容器胴部を部分的に手指だけで千切り広げることが容易である。
【０００８】
したがって、容器胴部を部分的に把持片と共に容器開口縁から容器底部付近まで千切り広げることで、容器開口縁まで満遍なく密着していて容器開口縁脇に膨出している天火焼きケーキや蒸し菓子などの容器内加工済食品から容器胴部を上記食品に手指を触れることなく部分的に把持片と共に手指だけで上記食品から容易に千切り広げ引き剥がすことができ、その後、この引き剥がし済の容器胴部縁辺を両手で摘み持ち、互いに外側下向きにさらに引き広げることで、子供や高齢者でも容器胴部の大部分を容器内食品から手指を汚さず容易に引き剥がすことができ、食品の大部分を広げた容器上に表出させて衛生的に食せるという優れた効果が有る。
【０００９】
本発明における請求項７から請求項９までの各発明によれば、縦ひだ絞り成形プラスチック容器の胴部開口縁から部分的に突出した把持片の基部における容器胴部に小寸の切り目と、この切り目に連接した切断補助用の薄肉溝とをそれぞれ下向きに形成したので、剛性と破断強度とが大きく、手指だけでは千切れない９０ミクロン程度の厚手ポリ・エチレン・テレフタレートシートで作った縦ひだ絞り成形プラスチック容器でも、その胴部外面を片手で持ち、他方の手指で把持片をその基部の切り目から切断補助用の薄肉溝により手指だけで極めて容易に千切り広げることができるいう効果を付加できた。
【００１０】
さらに、本発明における請求項１０の発明では、前記プラスチックシートにその軟化開始温度が２５０°Ｃ程度で剛性と破断強度とが大きいポリ・エチレン・テレフタレート製のシートを用いたので、このシートが３０ミクロン程度の薄手シートであっても、このシートから容器胴部を縦ひだ絞り成形した容器は、２５０°Ｃ程度までは熱変形せず、しかも前記切り目から、または容器胴部開口縁から直接に切断補助用の薄肉溝により容器胴部を把持片と共に手指だけで千切り易いので、上記シート製の縦ひだ絞り成形プラスチック容器は、蒸し菓子用容器を初めとして、焼成温度が２４０°Ｃ程度までの天火焼き菓子用のプラスチック容器としても立派に使用できるという効果を付加できた。
【００１１】
本発明における請求項１１の発明によれば、前記把持片を容器開口縁に対をなして水平突設したので、熱いものを入れた縦ひだ絞り成形プラスチック容器でも、両手鍋式に縦ひだ絞り成形プラスチック容器を持ち運べるので、手持ち状態の安定性が増し、より一層安全かつ便利であるという効果を付加でき、また本発明における請求項１２の発明では、前記切断補助用の薄肉溝を容器胴部の周面に沿って斜め下向きに長く形成したから、前記把持片基部の片側だけに上記薄肉溝を削設するだけで、容器胴部をその外周方向に大きく切開でき、したがって、容器胴部の大部分をワンタッチで容器内食品から容易に引き剥がせるという効果を付加できた。
【００１２】
また、本発明における請求項１３の発明によれば、前記切断補助用の薄肉溝をＶカットヒンジ溝状の切断補助用の薄肉溝としたので、この薄肉溝の形成に当たり、周知のＶカットヒンジ溝形成装置を転用することができ、均等製品を安価に多量提供できるし、さらに本発明における請求項１４の発明では、前記切断補助用の薄肉溝を容器底部付近まで長く形成したので、容器胴部をワンタッチで容器底部付近まで切開して容器内食品の下部まで容易に手指だけで引き剥がせるという効果を付加できた。
【００１３】
さらに、本発明における請求項１５の発明では、縦ひだ絞り成形プラスチック容器を上広がりに成形したので、多数の容器を互いに積み重ねることができ、その重積体からその最上部の容器を順次に単品分離して使用できると共に、この単品分離に当たっては、前記把持片の基部の切り目や切断補助用の薄肉溝を下向きに形成してあるから、この切り目や上記薄肉溝は把持片を上向きに引き上げても引き裂けないので、上記最上部の容器における把持片を引き上げることで、この把持片を千切らせずに多数容器の重積体からその最上部の容器を順次に単品分離できるという効果を付加できた。
【発明を実施するための最良の形態】
【００１４】
本発明の実施の形態例について図面を参照して説明する。
この発明の最良の実施形態は、縦ひだ付きプラスチック容器の成形素材として、上記容器の絞り成形するに要するシート軟化開始温度が２５０°Ｃ程度で、剛性と破断強度とが大きいポリ・エチレン・テレフタレート（ＰＥＴ）とか、ポリ・プロピレン（同じく１７０°Ｃ程度）や、ポリ・エチレン（同じく１４０°Ｃ程度）などの厚さ３０〜９０ミクロン程度の熱可塑性プラスチックシートを無延伸状態でそのまま用いたり、上記シートをその製造時に縦横方向に延伸した二軸延伸プラスチックシートを用いる。
【００１５】
そして、上記各プラスチックシートから図１・図２のように容器底部２の周囲に多数の縦ひだ３を有する上広がりの容器胴部４を一体的に起立成形した上記各図のような縦ひだ絞り成形プラスチック容器５を作るに当たり、本発明では、容器胴部４の開口縁４ａに適数（例えば四枚）の把持片６を上記各図のように一体突設すると共に、その基部から下向きに延びる切断補助用の薄肉溝７を容器胴部４に削設し、または把持片基部における容器胴部４の上部に小寸の切り目８と、この切り目に連接した切断補助用の薄肉溝７とをそれぞれ上記各図のように下向きに形成することで、本発明による縦ひだ絞り成形プラスチック容器５を得ることができた。
【００１６】
すなわち、上述したような軟化開始温度と肉厚を有する図３のような四角い熱可塑性プラスチックシート１の角部に向け型抜きした例えば四つの把持片突部６ａと、その基部の両側または片側に接して深さがシート肉厚の３０〜９０％程度の図４のような横断面Ｖ字状（またはＵ字状や半円溝状）の切断補助用の薄肉溝７または例えばレ字状の小寸切り目８を中心に向けて形成したり、把持片基部の両側または片側に接して上記小寸の切り目８と、この切り目に連接した切断補助用の薄肉溝７とをそれぞれ形成した同図３のような容器成形用ブランク１Ａを用意する。
【００１７】
次いで、上記ブランク１Ａから雌雄一対のベベルギャ状のプレス絞り成形金型や圧空成形金型とか真空引き成形金型などの周知の成形金型を上記各軟化開始温度以上に加熱した加熱済絞り成形金型により、容器底部２の周囲に多数の縦ひだ３を有する上広がりの容器胴部４と、その開口縁４ａから部分的に一体突出する例えば２対の把持片６とを図１・図２のように絞り起立成形した後、冷風を当てるなどして冷却固化することで、上記各把持片６の全部または一つの把持片６の基部の片側または両側にそれぞれ切断補助用の薄肉溝７や小寸の切り目８と、この切り目に連接した上記切断補助用の薄肉溝７とを上記各図のように下向きに形成でき、この発明による縦ひだ絞り成形プラスチック容器５を得た。
【００１８】
ただし、上記薄肉溝７または切り目８は、プラスチックシート素材の厚さやシート素材の破断強度とか、上記切断補助用の薄肉溝の削設深さに応じてどちらか一方を省略できるが、切り目８を省略した場合には、把持片６の基部における容器胴部４の開口縁４ａから直接に切断補助用の薄肉溝７を図１・図４のように容器底部付近まで削設すればよい。
また、上記切断補助用薄肉溝７を形成するには、プラスチックケースの蓋板開閉ヒンジ溝形成時に用いる周知の肉厚半截ヒンジ溝形成用の加熱加圧溝付け治具で形成できる。
【００１９】
本発明は、以上のような構成となしたので、これを使用するに当たり、本発明による縦ひだ絞り成形プラスチック容器５がポリ・エチレン・テレフタレート製の容器５の場合には、その軟化開始点が２５０°Ｃ程度と他の熱可塑性プラスチック容器よりも格段に高いので、蒸し菓子用を初めとして焼成温度が２３０°Ｃ程度の天火焼き菓子用の縦ひだ絞り成形プラスチック容器としても使用できる他、上述したようなポリプロピレン（同じく１７０°Ｃ程度）や、ポリ・エチレン（同じく１４０°Ｃ程度）製の容器５の場合には、蒸し菓子用として無理なく使用できる。
【００２０】
また、本発明による縦ひだ絞り成形プラスチック容器５がポリ・エチレン・テレフタレート製の容器のような剛性と破断強度とが大きく、前記薄肉溝７または切り目８以外の場所から手指だけでは千切れない程度の縦ひだ絞り成形プラスチック容器５であっても、その胴部４の外周面を片手で持ち、他方の手指で把持片６をその基部の切り目８（または把持片基部における容器胴部開口縁４ａから直接に延びる切断補助用薄肉溝７）から容器胴部４を把持片６と共に引き下げることで、容器胴部４を直接または上記薄肉溝７により把持片６と共に胴部開口縁４ａから容器底部２まで図１のように手指だけで容易に千切り広げることができ、容器内加工済食品（周知のものでよいから図示せず）に手指を触れることなく上記食品から容器胴部４を部分的に引き剥がした後、同図１の矢示のように上記引き剥がし縁辺４ｂの上部をさらに両手で摘み持って互いに下向きに引き広げることで、容器胴部４の大部分を上記食品から子供や高齢者でも手指を汚さず容易に引き剥がせるので、加工済食品の大部分を上記のように広げた縦ひだ絞り成形プラスチック容器５の上面に表出させて手指を汚さずに衛生的に食せる。
【実施例】
【００２１】
この発明における容器底板１の平面形状は、上記各図のような円形に限らず、楕円形や正方形とか六角形等の多角形としても良く、また本発明容器における把持片６は、単一の把持片６を容器胴部４の開口縁４ａの一か所に一つだけ突設してもよく、また上記単一または複数の各把持片６は、図５のように横向きに折り曲げて水平の把持片６とし、その折曲基部に切り目８や切断補助用の薄肉溝７とをそれぞれ下向きに形成してもよく、さらに前記切り目８や切断補助用の薄肉溝７は、各把持片６の基部の全部に形成する必要は無く、各把持片６の基部のうちの少なくとも一つの基部における容器胴部４の上部に切り目８や切断補助用の薄肉溝７とをそれぞれ下向きに形成するだけでも、容器胴部４を切断補助用の薄肉溝７で下向きに千切ることができる。
【００２２】
また、本発明による縦ひだ絞り成形プラスチック容器５を上広がりに成形すれば、多数の容器を互いに積み重ねることができ、その重積体からその最上部の容器５を順次に単品分離して使用できると共に、この単品分離に当たっては、前記把持片６の基部の切り目８や切断補助用の薄肉溝７を下向きに形成してあるから、この切り目８や切断補助用の薄肉溝７は、把持片６を上向きに引き上げても引き裂けないので、上記最上部の容器５における把持片６を引き上げることで、この把持片６を千切らせずに多数容器の重積体からその最上部の容器５を順次に単品分離できる。
【産業上の利用可能性】
【００２３】
本発明による縦ひだ絞り成形プラスチック容器は、冷凍菓子用または惣菜用のプラスチック容器としても当然に利用できる。
【図面の簡単な説明】
【００２４】
【図１】この発明による容器の使用例を示す斜視図
【図２】この発明による容器の原形例を示す斜視図
【図３】図１に示す容器の成形用ブランクの型抜き展開図
【図４】容器胴部の切断補助用の薄肉溝の一例を示す拡大横断面図
【図５】この発明による容器の他の実施例を示す斜視図
【符号の説明】
【００２５】
１…熱可塑性プラスチックシート  １Ａ…容器成形用ブランク
２…容器底部  ３…縦ひだ
４…縦ひだ付きの容器胴部  ４ａ…開口縁
５…縦ひだ絞り成形プラスチック容器
６…把持片  ６ａ…ブランクの把持片用突部
７…切断補助用の薄肉溝
８…把持片基部の下向き小寸の切り目
【図１】
2006036283.tif 000003
【図２】
2006036283.tif 000004
【図３】
2006036283.tif 000005
【図４】
2006036283.tif 000006
【図５】
2006036283.tif 000007